(57)【要約】【課題】比較的長いバックフォーカスを必要とするカメラ用の望遠ズームレンズにおいて、小型、軽量で且つ軸上色収差、倍率色収差が良好に補正されたズームレンズ及びそれを有する光学機器を提供すること。【解決手段】比較的長いバックフォーカスを必要とする光学系において、物体側から像側に順に、正の屈折力の第１レンズ群、負の屈折力の第２レンズ群、正の屈折力の第３レンズ群、開口絞り、後群を有し、広角端から望遠端への変倍の際に第１レンズ群と第２レンズ群の間隔が広がり、第２レンズ群と第３レンズ群の間隔が狭まり、以下の条件を満足することを特徴とするズームレンズ及びそれを有する光学機器。（１）：νｄ２ｐ＜２３．０、（２）：νｄｎ＞６５．０、（３）θｇＦｎ−（−０．００１６８２・νｄｎ＋０．６５１８）＞０。νｄ２ｐは第２レンズ群内を構成する正レンズのアッベ数、νｄｎ、θｇＦｎは後群内を構成する負レンズのアッベ数、部分分散比。【選択図】図１
2018194772.tif 000002
【特許請求の範囲】
【請求項１】
バックフォーカスを必要とする光学系において、物体側から像側に順に、正の屈折力の第１レンズ群、負の屈折力の第２レンズ群、正の屈折力の第３レンズ群、開口絞り、後群を有し、広角端から望遠端への変倍の際に第１レンズ群と第２レンズ群の間隔が広がり、第２レンズ群と第３レンズ群の間隔が狭まり、以下の条件を満足することを特徴とするズームレンズ。
νｄ２ｐ＜２３．０・・・（１）
νｄｎ＞６５．０・・・（２）
θｇＦｎ−（−０．００１６８２・νｄｎ＋０．６５１８）＞０・・・（３）
但し、νｄ２ｐはレンズ群内を構成する正レンズのアッベ数、νｄｎ、θｇＦｎは後群内を構成する負レンズのアッベ数、部分分散比である。
【請求項２】
バックフォーカスを必要とする光学系において、物体側から像側に順に、正の屈折力の第１レンズ群、負の屈折力の第２レンズ群、正の屈折力の第３レンズ群、開口絞り、正の屈折力の第４レンズ群、負の屈折力の第５レンズ群を有し、広角端から望遠端への変倍の際に第１レンズ群と第２レンズ群の間隔が広がり、第２レンズ群と第３レンズ群の間隔が狭まり、第４レンズ群以降のレンズ群は光軸上に移動し、フォーカシングに際して、第５レンズ群が光軸方向に移動し、以下の条件を満足することを特徴とするズームレンズ。
νｄ２ｐ＜２３．０・・・（１）
νｄ５ｎ＞６５．０・・・（４）
θｇＦ５ｎ−（−０．００１６８２・νｄ５ｎ＋０．６５１８）＞０・・・（５）
但し、νｄ２ｐは第２レンズ群内を構成する正レンズのアッベ数、νｄ５ｎ、θｇＦ５ｎは第５レンズ群を構成する負レンズのアッベ数、部分分散比である。
【請求項３】
以下の条件を満足することを特徴とする請求項１又は請求項２に記載のズームレンズ。
θｇＦ２ｐ−（−０．００１６８２・νｄ２ｐ＋０．６５１８）＞０・・・（６）
但し、νｄ２ｐ、θｇＦ２ｐは第２レンズ群内を構成する正レンズのアッベ数、部分分散比である。
【請求項４】
以下の条件を満足することを特徴とする請求項１乃至請求項３の何れか一項に記載のズームレンズ。
０．５＜ｆ１／ｆｔ＜０．８・・・（７）
但し、ｆ１は第１レンズ群の焦点距離、ｆｔは望遠端の焦点距離である。
【請求項５】
以下の条件を満足することを特徴とする請求項１乃至請求項４の何れか一項に記載のズームレンズ。
正の屈折力の第１レンズ群は、正の屈折力を有するレンズと負の屈折力を有するレンズの２枚構成からなることを特徴とする。
【請求項６】
以下の条件を満足することを特徴とする請求項１乃至請求項５の何れか一項に記載のズームレンズ。
正の屈折力の第１レンズ群を構成する正のレンズは屈折力を有するレンズは、
νｄ１ｐ＞５５．０・・・（８）
θｇＦ１ｐ−（−０．００１６８２・νｄ１ｐ＋０．６４３８）＜０・・・（９）
なることを特徴とする。
但し、νｄ１ｐ、θｇＦ１ｐは第１レンズ群を構成する正レンズのアッベ数、部分分散比である。
【請求項７】
以下の条件を満足することを特徴とする請求項１乃至請求項６の何れか一項に記載のズームレンズ。
正の屈折力の第１レンズ群を構成する負のレンズは樹脂レンズである。
【請求項８】
以下の条件を満足することを特徴とする請求項１乃至請求項７の何れか一項に記載のズームレンズ。
正の屈折力の第４レンズ群は、非球面を有する正の屈折力を有するレンズの１枚構成からなることを特徴とする。
【請求項９】
バックフォーカスを必要とする光学系において、物体側から像側に順に、正の屈折力の第１レンズ群、負の屈折力の第２レンズ群、正の屈折力の第３レンズ群、開口絞り、正の屈折力の第４レンズ群、負の屈折力の第５レンズ群、正の屈折力の第６レンズ群を有し、広角端から望遠端への変倍の際に第１レンズ群と第２レンズ群の間隔が広がり、第２レンズ群と第３レンズ群の間隔が狭まり、第４レンズ群以降のレンズ群は光軸上に移動し、さらに第４レンズ群と第６レンズ群は一体となって移動し、フォーカシングに際して、第５レンズ群が光軸方向に移動し、以下の条件を満足することを特徴とする請求項１乃至請求項８の何れか一項に記載のズームレンズ。
【請求項１０】
以下の条件を満足することを特徴とする請求項１乃至請求項９の何れか一項に記載のズームレンズ。
負の屈折力の第２レンズ群は、負の屈折力を有するレンズと正の屈折力を有するレンズの接合レンズ、負の屈折力を有するレンズの３枚構成からなることを特徴とする。
【請求項１１】
以下の条件を満足することを特徴とする請求項１乃至請求項１０の何れか一項に記載のズームレンズ。
負の屈折力の第２レンズ群は、変倍の際に固定していることを特徴とする。
【請求項１２】
第２レンズ群を光軸と垂直の成分を含む方向に移動させることによって防振を行い、以下の条件を満足することを特徴とする請求項１乃至請求項１１の何れか一項に記載のズームレンズ。
０．３５＜｜ｆ２／ｆｗ｜＜０．６５・・・（９）
但し、ｆ２は第２レンズ群の焦点距離、ｆｗは広角端の焦点距離である。
【請求項１３】
請求項１乃至請求項１２の何れか一項に記載のズームレンズを有していることを特徴とする光学機器。
【発明の詳細な説明】
【技術分野】
【０００１】
本発明は、光学系に関し、特に銀塩フィルムカメラ、デジタルスチルカメラ、ビデオカメラ、デジタルビデオカメラ等のズームレンズ及びそれを有する光学機器に関する。
【背景技術】
【０００２】
近年、デジタルカメラやビデオカメラ等の光学機器には、高画素の撮像素子が用いられている。このような高画素の撮像素子を備える光学機器に用いられる撮影光学系には、諸収差が良好に補正され、画面全体にわたり高い光学性能を有することが要求されている。
【０００３】
比較的長いバックフォーカスを必要とする光学系において、物体側から像側に順に、正の屈折力の第１レンズ群、負の屈折力の第２レンズ群、正の屈折力の第３レンズ群、負の屈折力の第４レンズ群で構成された４群アフォーカルタイプ等が従来から用いられている（特許文献１、２）。
【先行技術文献】
【特許文献】
【０００４】
【特許文献１】特開平１１−１３３３０４公報
【特許文献２】特開２０１３−２１８２９１公報
【発明の概要】
【発明が解決しようとする課題】
【０００５】
一般に望遠系のズームレンズにおいて、焦点距離に比例して前玉レンズ径が大きくなる。また高い光学性能を所望するには、第１レンズ群で発生する収差は変倍の際に拡大される為、極力小さくする必要があり、特に球面収差、コマ収差、色収差等の諸収差は良好に補正しておく必要がある。その為、第１レンズ群には、レンズ構成枚数を増やしたり、異常分散ガラスを用いたりしている。
【０００６】
しかしながら、上述のレンズタイプは概して全長が長く、レンズ径も大きいため、寸法・重量ともに大きくなり、小型・軽量化に不利である。
【０００７】
特許文献１では、正の屈折力を有する第１レンズ群、負の屈折力を有する第２レンズ群、正の屈折力を有する第３レンズ群、正の屈折力を有する第４レンズ群、負の屈折力を有する第５レンズ群で構成されるズームレンズにおいて、レンズ径が最大となる第１レンズ群が正、負の接合レンズ、正レンズの３枚構成となっており、光学系のレンズ重量が大きい。
【０００８】
特許文献２では、正の屈折力を有する第１レンズ群、負の屈折力を有する第２レンズ群、開口絞り、第３レンズ群を有するズームレンズにおいて、第１レンズ群が正、負の接合レンズまたは正の屈折力を有するレンズ１枚の構成となり、レンズ重量を小さくしているが、色収差、特に倍率色収差が大きく、高画質化が困難であった。
【０００９】
そこで、本発明の目的は、比較的長いバックフォーカスを必要とするカメラ用の望遠ズームレンズにおいて、小型、軽量で且つ軸上色収差、倍率色収差が良好に補正されたズームレンズ及びそれを有する光学機器を提供することにある。
【課題を解決するための手段】
【００１０】
上記の目的を達成するために、本発明は、比較的長いバックフォーカスを必要とする光学系において、物体側から像側に順に、正の屈折力の第１レンズ群、負の屈折力の第２レンズ群、正の屈折力の第３レンズ群、開口絞り、後群を有し、広角端から望遠端への変倍の際に第１レンズ群と第２レンズ群の間隔が広がり、第２レンズ群と第３レンズ群の間隔が狭まり、以下の条件を満足することを特徴とするズームレンズ及びそれを有する光学機器を提供する。
【００１１】
νｄ２ｐ＜２３．０・・・（１）
νｄｎ＞６５．０・・・（２）
θｇＦｎ−（−０．００１６８２・νｄｎ＋０．６５１８）＞０・・・（３）
但し、νｄ２ｐは第２レンズ群内を構成する正レンズのアッベ数、νｄｎ、θｇＦｎは後群内を構成する負レンズのアッベ数、部分分散比である。
【発明の効果】
【００１２】
本発明によれば、比較的長いバックフォーカスを必要とするカメラ用の望遠ズームレンズにおいて、小型、軽量で且つ軸上色収差、倍率色収差が良好に補正されたズームレンズ及びそれを有する光学機器を提供することができる。
【図面の簡単な説明】
【００１３】
【図１】実施例１の断面図
【図２】実施例１広角端の縦収差図
【図３】実施例１中間端の縦収差図
【図４】実施例１望遠端の縦収差図
【図５】実施例２の断面図
【図６】実施例２広角端の縦収差図
【図７】実施例２中間端の縦収差図
【図８】実施例２望遠端の縦収差図
【図９】実施例３の断面図
【図１０】実施例３広角端の縦収差図
【図１１】実施例３中間端の縦収差図
【図１２】実施例３望遠端の縦収差図
【図１３】実施例４の断面図
【図１４】実施例４広角端の縦収差図
【図１５】実施例４中間端の縦収差図
【図１６】実施例４望遠端の縦収差図
【図１７】アッベ数νｄと部分分散比θｇＦはの関係を示す図
【図１８】レンズを備える一眼レフカメラ（光学機器）の要部概略図
【発明を実施するための形態】
【００１４】
以下に、本発明の好ましい実施の形態を、添付の図面に基づいて詳細に説明する。
【００１５】
本発明の光学系は、比較的長いバックフォーカスを必要とするカメラ用の望遠ズームレンズである。物体側から像側に順に、正の屈折力の第１レンズ群、負の屈折力の第２レンズ群、正の屈折力の第３レンズ群、開口絞り、後群を有するズームレンズである。広角端から望遠端への変倍の際に第１レンズ群と第２レンズ群の間隔が広がり、第２レンズ群と第３レンズ群の間隔が狭まり、後群は光軸上に移動する。
【００１６】
上述のレンズタイプでは、第２レンズ群及び絞りより後ろ側且つ像側に近いレンズ群は光束の有効径が小さくなりやすい。これらの位置に色収差補正に適切なレンズ材料を配置することで、各レンズ群の構成枚数を削減することができる。特に色収差を良好に補正するには、以下の条件を満足することを特徴とする。
【００１７】
νｄ２ｐ＜２３．０・・・（１）
νｄｎ＞６５．０・・・（２）
θｇＦｎ−（−０．００１６８２・νｄｎ＋０．６５１８）＞０・・・（３）
但し、νｄ２ｐは第２レンズ群内を構成する正レンズのアッベ数、νｄｎ、θｇＦｎは後群内を構成する負レンズのアッベ数、部分分散比である。
【００１８】
条件式（１）は、色収差、特に軸上色収差を良好に補正する為の条件式である。第２レンズ群内を構成する正レンズに、上述のレンズ材料を配置することで、第１レンズ群で生じる色収差を広角端から望遠端に渡り、効果的に補正することができる。条件式（１）の上限を超えると、色消しが不十分となり、色収差の補正が困難となる。
【００１９】
条件式（２）、（３）は、後群を構成する負レンズにおいて、アッベ数と部分分散比の適切な値となる材料を示す。
【００２０】
ｇ線（４３５．８ｎｍ）、Ｆ線（４８６．１ｎｍ）、ｄ線（５８７．６ｎｍ）、Ｃ線（６５６．３ｎｍ）に対する材料の屈折率をそれぞれＮｇ、ＮＦ、Ｎｄ、ＮＣとする。するとアッベ数νｄ、部分分散比θｇＦ、は以下のように表すことができる。
【００２１】
νｄ＝（Ｎｄ−１）／（ＮＦ−ＮＣ）・・・（ａ）
θｇＦ＝（Ｎｇ−ＮＦ）／（ＮＦ−ＮＣ）・・・（ｂ）
図１７はアッベ数νｄと部分分散比θｇＦの関係を示したグラフである。図１７において、株式会社オハラ社製の製品名：ＰＢＭ２（νｄ＝３６．２６、θｇＦ＝０．５８２８）と製品名：ＮＳＬ７（νｄ＝６０．４９、θｇＦ＝０．５４３６）を示す。これら２点を結んだ線を基準線とする。低分散ガラスに関しては、基準線より上側に位置するものを使用するのが二次スペクトルの補正に対し効果的であり、基準線から離れるほど補正効果が高まる。
【００２２】
つまり、条件式（２）、（３）を満足するレンズ材料は、低分散でありながら、異常分散性を有しているので、色収差補正に効果的である。後群内を構成する負レンズに、上述のレンズ材料を配置することで、望遠端での倍率色収差を効果的に補正することができる。
【００２３】
条件式（２）の下限を超えると、後群の色消しが不十分となり、色収差の補正が困難となる。
【００２４】
条件式（３）の下限を超えると、負レンズの材料の異常分散性が小さくなり、望遠端での倍率色収差を補正することが困難となる。
【００２５】
各実施例によれば、以上のようにレンズ構成を特定することによって、比較的長いバックフォーカスを必要とするカメラ用の望遠ズームレンズにおいて、小型、軽量で且つ軸上色収差、倍率色収差が良好に補正されたズームレンズが得られる。
【００２６】
各実施例において、物体側から像側に順に、正の屈折力の第１レンズ群、負の屈折力の第２レンズ群、正の屈折力の第３レンズ群、開口絞り、正の屈折力の第４レンズ群、負の屈折力の第５レンズ群からなる５群構成のズームレンズである。広角端から望遠端への変倍の際に第１レンズ群と第２レンズ群の間隔が広がり、第２レンズ群と第３レンズ群の間隔が狭まり、第４レンズ群以降のレンズ群は光軸上に移動し、フォーカシングに際して、第５レンズ群が光軸方向に移動し、以下の条件を満足することを特徴とする。
【００２７】
νｄ２ｐ＜２３．０・・・（１）
νｄ５ｎ＞６５．０・・・（４）
θｇＦ５ｎ−（−０．００１６８２・νｄ５ｎ＋０．６５１８）＞０・・・（５）
但し、νｄ２ｐは第２レンズ群内を構成する正レンズのアッベ数、νｄ５ｎ、θｇＦ５ｎは第５レンズ群を構成する負レンズのアッベ数、部分分散比である。
【００２８】
上述のレンズタイプでは、絞りより後ろ側且つ像側に近いレンズ群は光束の有効径が小さくなりやすい。このため、絞りより後ろ側且つ像側に近いレンズ群をフォーカシングレンズ群にすると、保持機構および駆動機構が簡素化するとともに小型化が可能となる。
【００２９】
また変倍作用の小さい絞りより後ろ側のレンズ群をフォーカシングレンズ群にすると、無限遠から至近に合焦させた際に像倍率変化を小さくできる。この点は、被写体が無限遠から至近に変化した際に画角の変化を小さくすることができる為、動画撮影時において最適である。
【００３０】
このため、絞りより後ろ側且つ像側に近いレンズ群である第５レンズ群をフォーカシングレンズ群にすると、フォーカシングレンズ群の小型化が可能であると同時に無限遠から至近に合焦させた際に像倍率変化を小さくすることができる
条件式（４）、（５）は、第５レンズ群を構成する負レンズにおいて、アッベ数と部分分散比の適切な値となる材料を示す。条件式（４）、（５）を満足するレンズ材料は、低分散でありながら、異常分散性を有しているので、色収差補正に効果的である。このレンズ材料をフォーカシングするレンズ群に用いることで、無限遠から至近に合焦させた際に色収差の変動を小さくすることができる。
【００３１】
各実施例において、更に色収差を良好に補正し、高い光学性能を得るには、以下の条件式（６）を満足する構成である。
【００３２】
θｇＦ２ｐ−（−０．００１６８２・νｄ２ｐ＋０．６５１８）＞０・・・（６）
但し、νｄ２ｐ、θｇＦ２ｐは第２レンズ群内を構成する正レンズのアッベ数、部分分散比である。
【００３３】
条件式（６）は、第２レンズ群内を構成する正レンズにおいて、アッベ数と部分分散比の適切な値となる材料を示す。第２レンズ群内を構成する正レンズに、上述のレンズ材料を配置することで、第１レンズ群で生じる色収差を広角端から望遠端に渡り、効果的に補正することができる。条件式（６）の下限を超えると、正レンズの材料の異常分散性が小さくなり、軸上色収差を補正することが困難となる。
【００３４】
各実施例において、更に小型、軽量で且つ色収差を良好に補正し、高い光学性能を得るには、以下の条件式（７）を満足する構成である。
【００３５】
０．５＜ｆ１／ｆｔ＜０．８・・・（７）
但し、ｆ１は第１レンズ群の焦点距離、ｆｔは望遠端の焦点距離である。
【００３６】
条件式（７）は、光学系の小型、軽量化と良好な光学性能を適切にするための条件式である。条件式（７）の上限を超えて第１レンズ群の屈折力が弱くなると、光学系は大型化してしまう。条件式（６）の下限を超えて第１レンズ群の屈折力が強くなると、望遠端において、色収差が目立ち光学性能が維持するのが困難になる。更に好ましくは条件式（６）の数値範囲を次の如く設定するのが良い。
【００３７】
０．５５＜ｆ１／ｆｔ＜０．７・・・（７ａ）
各実施例において、更に小型、軽量で且つ色収差を良好に補正し、高い光学性能を得るには、以下の条件を満足する構成である。正の屈折力の第１レンズ群は、正の屈折力を有するレンズと負の屈折力を有するレンズの２枚構成からなることを特徴とする。
【００３８】
上述の構成とすることで、光学系内のレンズ径で最大となる第１レンズ群の構成枚数を削減することで、レンズ重量を小さくすることができる。
【００３９】
各実施例において、更に小型、軽量で且つ色収差を良好に補正し、高い光学性能を得るには、以下の条件式（８）、（９）を満足する構成である。正の屈折力の第１レンズ群を構成する正のレンズは屈折力を有するレンズは、
νｄ１ｐ＞５５．０・・・（８）
θｇＦ１ｐ−（−０．００１６８２・νｄ１ｐ＋０．６４３８）＜０・・・（８）
なることを特徴とする。
【００４０】
但し、νｄ１ｐ、θｇＦ１ｐは第１レンズ群を構成する正レンズのアッベ数、部分分散比である。
【００４１】
条件式（８）、（９）は、第１レンズ群を構成する正レンズにおいて、アッベ数と部分分散比の適切な値となる材料を示す。低分散でありながら、異常分散性を有しているレンズ材料は、色収差補正に効果的である。しかしながら、概して、これらのレンズ材料は、比重が大きく、光学系内のレンズ径で最大となる第１レンズ群に用いると、光学系のレンズ重量が大きくなってしまい、小型、軽量化に不利である。
【００４２】
条件式（８）の下限を超えると、第１レンズ群で生じる色収差が大きくなり、第２レンズ群を構成する正レンズによる補正が不十分となり、光学系の色収差の補正が困難となる。また第１レンズ群で生じる色収差を小さくすると、第１レンズ群は大きくなり、小型、軽量化に不利である。
【００４３】
条件式（９）の上限を超えて、低分散でありながら、異常分散性を有するレンズ材料を用いると、光学系のレンズ重量が大きくなってしまう。
【００４４】
各実施例において、更に小型、軽量で高い光学性能を得るには、以下の条件を満足する構成である。正の屈折力の第１レンズ群を構成する負のレンズは樹脂レンズである。上述を満たす光学材料の具体例として、例えばポリカーボネイト系の熱可塑性樹脂がある。樹脂レンズはガラスレンズに比べて比重が小さく、光学系内のレンズ径で最大となる第１レンズ群に用いると、光学系のレンズ重量が小さくなる。尚、ガラスレンズに比して比重の小さな材料であれば、これらに限定するものではない。
【００４５】
各実施例において、更に小型、軽量で高い光学性能を得るには、以下の条件を満足する構成である。正の屈折力の第４レンズ群は、非球面を有するレンズの１枚構成からなることを特徴とする。この位置に非球面を配置したレンズを１枚構成にすることで、レンズ構成枚数を削減して小型、軽量化しつつ諸収差、特に球面収差を補正して良好な光学性能を得ることができる。各実施例において、更に小型、軽量で高い光学性能を得るには、以下の条件を満足する構成である。
【００４６】
比較的長いバックフォーカスを必要とする光学系において、物体側から像側に順に、正の屈折力の第１レンズ群、負の屈折力の第２レンズ群、正の屈折力の第３レンズ群、開口絞り、正の屈折力の第４レンズ群、負の屈折力の第５レンズ群、正の屈折力の第６レンズ群を有する６群構成のズームレンズである。広角端から望遠端への変倍の際に第１レンズ群と第２レンズ群の間隔が広がり、第２レンズ群と第３レンズ群の間隔が狭まり、第４レンズ群以降のレンズ群は光軸上に移動し、さらに第４レンズ群と第６レンズ群は一体となって移動し、フォーカシングに際して、第５レンズ群が光軸方向に移動することを特徴とする。
【００４７】
上述のレンズタイプでは、第６レンズ群を適切に配置することで、第５レンズ群に適度なフォーカス敏感度を与え、且つ光学系の全長短縮に寄与することができる。
【００４８】
また第４レンズ群と第６レンズ群は一体となって移動することで、第４レンズ群以降のレンズ群の保持機構および駆動機構を簡素化することができる。
【００４９】
各実施例において、更に小型、軽量で高い光学性能を得るには、以下の条件を満足する構成である。負の屈折力の第２レンズ群は、負の屈折力を有するレンズと正の屈折力を有するレンズの接合レンズ、負の屈折力を有するレンズの３枚構成からなることを特徴とする。
【００５０】
上述のように、第２レンズ群をレンズ構成にすることで、レンズの小型、軽量化しつつ諸収差、特に広角端での像面湾曲を補正して良好な光学性能を得ることができる。
【００５１】
各実施例において、更に小型、軽量で高い光学性能を得るには、以下の条件を満足する構成である。負の屈折力の第２レンズ群は、変倍の際に固定していることを特徴とする。
【００５２】
上述のように、第２レンズ群を変倍の際に固定することで、偏芯敏感度の大きな第２レンズ群による製造時の劣化を小さくすると共に、第２レンズ群の保持機構および駆動機構を簡素化することができる。
【００５３】
更に各実施例において、第２レンズ群を光軸と垂直の成分を含む方向に移動させることによって防振を行い、防振時の光学性能を良好に維持しつつ、防振のための駆動機構の小型化を達成するために、以下の条件式（１０）を満足することが望ましい。
【００５４】
０．３５＜｜ｆ２／ｆｗ｜＜０．６５・・・（１０）
但し、ｆ２は第２レンズ群の焦点距離、ｆｗは広角端の焦点距離である。
【００５５】
条件式（１０）は、広角端の焦点距離に対する防振レンズ群の屈折力を適切にし、防振レンズ群を光軸と垂直方向に変位させた時の収差変動の敏感度と像位置補正の敏感度のバランスを維持するための条件式である。また、条件式（１０）の上限を超えて防振レンズ群の屈折力が弱くなると、防振時に光軸と垂直成分を持つ方向に駆動させる量が大きくなって駆動機構の大型化を招き好ましくない。条件式（１０）の下限を超えて防振レンズ群の屈折力が強くなると、防振の際に偏心収差が多く発生し、防振時の光学性能が低下して望ましくない。また、防振レンズ群の変位量に対する像位置の変化量（以下、防振敏感度という）が大きくなるため、必要な防振効果を得るための防振レンズ群の変位量が小さくなり過ぎて、その変位量を電気的又は機械的に精度良く制御するのが困難になる。また、更に好ましくは条件式（１０）の数値範囲を次の如く設定するのが良い。
【００５６】
０．４５＜｜ｆ２／ｆｗ｜＜０．６・・・（１０ａ）
次に、本発明のズームレンズを用いた一眼レフカメラシステム（光学機器）の実施例を、図１８を用いて説明する。
【００５７】
図１７において、１０は一眼レフカメラ本体、１１は本発明による広角レンズを搭載した交換レンズである。１２は交換レンズ１１を通して得られる被写体像を記録するフィルムや撮像素子などの記録手段である。１３は交換レンズ１１からの被写体像を観察するファインダー光学系、１４は交換レンズ１１で形成された被写体像を記録手段１２とファインダー光学系１３に切り替えて伝送するための回動するクイックリターンミラーである。ファインダーで被写体像を観察する場合は、クイックリターンミラー１４を介してピント板１５に結像した被写体像をペンタプリズム１６で正立像としたのち、接眼光学系１７で拡大して観察する。
【００５８】
撮影時にはクイックリターンミラー１４が矢印方向に回動して被写体像は記録手段１２に結像して記録される。１８はサブミラー、１９は焦点検出装置である。
【００５９】
このように本発明の広角レンズを一眼レフカメラ等の交換レンズ等の光学機器に適用することにより、高い光学性能を有した光学機器が実現できる。
【００６０】
また、本光学機器は、クイックリターンミラー１４等を有さないミラ−レスの一眼レフカメラでも良いし、レンズ交換式ではない構成のものでも良い。
【００６１】
各実施例において、ｒは曲率半径、ｄはレンズ厚またはレンズ間隔、ｎｄはｄ線の屈折率、ｖｄはアッベ数、ＢＦはバックフォーカス値を示す。
【００６２】
また、各実施例において非球面形状は、次式によって定義している。
【００６３】
【数１】
2018194772.tif 000003
【００６４】
但し、Ｘは光軸からｈだけ離れたレンズ面上の光軸方向への変位量、ｒは近軸曲率半径、Ｂ、Ｃ、Ｄ、Ｅ、Ｆはそれぞれ４次、６次、８次、１０次、１２次の非球面係数である。
【００６５】
尚、「ｅ−ｎ」の表示は「１０−ｎ」を意味する。また、各非球面は、面データにおいて、面番号の右側に「＊」を付して示している。
【実施例１】
【００６６】
以下、図１〜図４、表１を参照して、本発明の第１の実施例について示す。表１はその数値データである。各収差図から明らかなように本実施例では諸収差が良好に補正されていることがわかる。
【００６７】
（表１）
単位 mm
面データ
面番号       r        d      nd         vd       有効径
1         42.582    7.18   1.48749    70.2       41.03
2      -1232.570    0.20                         40.43
3*        95.515    3.00   1.58306    30.2       38.88
4*        46.762  (可変)                         36.22
5       4899.724    0.80   1.83400    37.2       21.51
6         21.441    2.84   1.92286    18.9       20.82
7         45.257    2.72                         20.57
8        -39.713    0.80   1.69680    55.5       20.58
9       -259.565  (可変)                         21.09
10         34.265    3.98   1.72916    54.7       22.91
11       -124.346    3.72                         22.78
12         24.087    5.44   1.49700    81.5       20.90
13        -47.537    1.12   1.95375    32.3       19.90
14         33.863    4.16                         18.95
15(絞り)    ∞     (可変)                         19.03
16*        32.211    4.06   1.58313    59.4       19.20
17*       -61.569  (可変)                         18.82
18        -53.214    2.22   1.72000    50.2       16.20
19        -20.466    0.36                         16.03
20        -19.249    0.70   1.49700    81.5       15.69
21         26.306  (可変)                         14.76
22         39.778    1.63   1.80610    33.3       16.12
23         47.367  (可変)                         16.13
像面        ∞   
非球面データ
第3面
K = 0.00000e+000  A 4= 5.64026e-006  A 6=-7.98504e-009  A 8= 4.46048e-012  A10=-3.73628e-017  
第4面
K = 0.00000e+000  A 4= 7.62461e-006  A 6=-5.86500e-009  A 8= 2.70430e-013  A10= 6.50176e-015  
第16面
K = 0.00000e+000  A 4=-8.53032e-006  A 6= 2.82710e-008  A 8=-4.70881e-010  A10= 1.72422e-012  
第17面
K = 0.00000e+000  A 4= 6.46505e-006  A 6= 2.95152e-008  A 8=-5.93432e-010  A10= 2.53004e-012  
各種データ
広角     中間     望遠
焦点距離      56.81   135.00   241.28  
Fナンバー      4.03     5.11     5.88  
画角          13.52     5.78     3.24  
像高          13.66    13.66    13.66  
レンズ全長   154.60   192.00   209.61  
BF            38.74    60.94    75.27  
d 4            7.27    44.67    62.28  
d 9           34.98    15.75     2.46  
d15            9.01     6.03     5.00  
d17            2.00     3.02     5.50  
d21           17.69    16.66    14.18  
d23           38.74    60.94    75.27  
ズームレンズ群データ
群  始面    焦点距離 
1    1     160.27 
2    5     -31.93 
3   10      52.71 
4   16      36.85 
5   18     -43.65 
6   22     281.09 
【実施例２】
【００６８】
以下、図５〜図８、表２を参照して、本発明の第２の実施例について示す。表２はその数値データである。各収差図から明らかなように本実施例では諸収差が良好に補正されていることがわかる。
【００６９】
（表２）
単位 mm
面データ
面番号       r        d      nd         vd       有効径
1         41.631    7.10   1.48749    70.2       41.04
2       4042.295    0.20                         40.41
3*        86.094    3.00   1.58306    30.2       38.87
4*        44.263  (可変)                         36.15
5        342.132    0.80   1.85026    32.3       21.80
6         19.433    5.00   1.92286    18.9       21.15
7         43.267    3.00                         20.52
8        -34.499    0.80   1.61800    63.3       20.53
9       -907.923  (可変)                         21.15
10         36.163    4.06   1.69680    55.5       23.04
11        -96.822    1.77                         22.98
12         23.220    5.67   1.49700    81.5       21.77
13        -55.884    1.12   1.95375    32.3       20.78
14         32.054    3.85                         19.77
15(絞り)    ∞     (可変)                         19.92
16*        32.047    4.44   1.58313    59.4       20.36
17*       -53.247  (可変)                         20.04
18       -168.640    3.11   1.54072    47.2       16.08
19        -18.801    0.70   1.49700    81.5       15.64
20         22.226  (可変)                         14.50
21         23.876    1.63   1.51742    52.4       16.17
22         26.239  (可変)                         16.13
像面        ∞   
非球面データ
第3面
K = 0.00000e+000  A 4= 5.74094e-006  A 6=-8.05623e-009  A 8= 4.81381e-012  A10=-1.53305e-016  
第4面
K = 0.00000e+000  A 4= 7.73471e-006  A 6=-5.88029e-009  A 8= 6.09887e-013  A10= 7.31559e-015  
第16面
K = 0.00000e+000  A 4=-1.24302e-005  A 6= 3.00824e-008  A 8=-6.30513e-010  A10= 3.29722e-012  
第17面
K = 0.00000e+000  A 4= 3.03750e-006  A 6= 2.81235e-008  A 8=-6.23869e-010  A10= 3.43053e-012  
各種データ
広角     中間     望遠
焦点距離      56.82   135.00   241.29  
Fナンバー      3.98     5.18     5.88  
画角          13.52     5.78     3.24  
像高          13.66    13.66    13.66  
レンズ全長   154.60   192.00   209.61  
BF            38.74    59.58    73.23  
d 4            7.33    44.73    62.34  
d 9           33.70    14.98     2.48  
d15            8.26     6.13     4.99  
d17            1.98     3.94     7.33  
d20           18.34    16.38    12.99  
d22           38.74    59.58    73.23  
ズームレンズ群データ
群  始面    焦点距離 
1    1     166.20
2    5     -30.84
3   10      54.47
4   16      34.98
5   18     -42.77
6   21     415.06
【実施例３】
【００７０】
以下、図９〜図１２、表３を参照して、本発明の第３の実施例について示す。表３はその数値データである。各収差図から明らかなように本実施例では諸収差が良好に補正されていることがわかる。
【００７１】
（表３）
単位 mm
面データ
面番号       r        d      nd         vd       有効径
1         41.350    7.66   1.48749    70.2       41.03
2       -419.820    0.20                         40.41
3*        97.432    3.00   1.58306    30.2       38.55
4*        46.111  (可変)                         35.72
5       -471.164    0.80   1.80610    33.3       22.28
6         20.866    2.86   1.95906    17.5       20.79
7         41.631    3.21                         20.18
8        -37.332    0.80   1.69680    55.5       19.92
9       -255.549  (可変)                         19.98
10         31.623    3.90   1.65160    58.5       22.19
11       -152.950    5.16                         22.00
12         22.248    5.02   1.49700    81.5       19.84
13        -63.289    1.12   1.95375    32.3       18.92
14         35.900    6.26                         18.09
15(絞り)    ∞     (可変)                         17.83
16*        23.830    3.59   1.58313    59.4       17.43
17*      -527.122  (可変)                         16.84
18        -59.712    2.22   1.61772    49.8       14.99
19        -18.878    0.18                         14.77
20        -18.481    0.70   1.49700    81.5       14.59
21         23.969  (可変)                         13.74
22         41.033    1.79   1.54814    45.8       15.92
23         68.477  (可変)                         15.95
像面        ∞   
非球面データ
第3面
K = 0.00000e+000  A 4= 6.24123e-006  A 6=-9.96949e-009  A 8= 6.40621e-012  A10=-1.32779e-015  
第4面
K = 0.00000e+000  A 4= 8.71019e-006  A 6=-7.33762e-009  A 8= 1.58804e-012  A10= 5.98046e-015  
第16面
K = 0.00000e+000  A 4=-6.03008e-006  A 6= 4.83556e-008  A 8=-1.26418e-009  A10= 5.92836e-012  
第17面
K = 0.00000e+000  A 4= 1.52484e-005  A 6= 5.85341e-008  A 8=-1.66969e-009  A10= 9.85426e-012  
各種データ
広角     中間     望遠
焦点距離      56.82   135.00   241.28  
Fナンバー      4.16     5.12     5.88  
画角          13.52     5.78     3.24  
像高          13.66    13.66    13.66  
レンズ全長   154.60   188.59   204.60  
BF            38.74    58.29    71.11  
d 4            7.40    41.39    57.40  
d 9           34.24    15.76     2.57  
d15            7.10     6.03     6.39  
d17            1.98     3.02     4.49  
d21           16.69    15.64    14.17  
d23           38.74    58.29    71.11  
ズームレンズ群データ
群  始面    焦点距離
1    1     141.16
2    5     -29.50
3   10      48.33
4   16      39.19
5   18     -39.51
6   22     182.56
【実施例４】
【００７２】
以下、図１３〜図１６、表４を参照して、本発明の第４の実施例について示す。表４はその数値データである。各収差図から明らかなように本実施例では諸収差が良好に補正されていることがわかる。
【００７３】
（表４）
単位 mm
面データ
面番号       r        d      nd         vd       有効径
1         44.558    7.16   1.48749    70.2       41.04
2       -511.897    0.20                         40.46
3*       106.524    3.00   1.58306    30.2       38.88
4*        50.396  (可変)                         36.32
5       -486.749    0.80   1.80610    33.3       23.16
6         21.121    4.89   1.92286    18.9       21.63
7         52.040    3.88                         20.36
8        -43.754    0.80   1.77250    49.6       19.92
9        920.513  (可変)                         20.33
10         28.319    5.36   1.69680    55.5       22.35
11       -162.522    1.67                         21.85
12         23.392    5.05   1.49700    81.5       20.41
13        -65.344    1.12   1.95375    32.3       19.36
14         32.200    6.58                         18.33
15(絞り)    ∞     (可変)                         17.94
16*        20.529    3.56   1.58313    59.4       17.39
17*       158.078  (可変)                         16.64
18        -70.102    2.20   1.74400    44.8       14.34
19        -18.902    0.08                         14.14
20        -18.544    0.70   1.59522    67.7       14.05
21         24.333  (可変)                         13.28
22         45.071    1.91   1.58267    46.4       16.11
23        105.276  (可変)                         16.23
像面        ∞   
非球面データ
第3面
K = 0.00000e+000  A 4= 6.20938e-006  A 6=-9.24452e-009  A 8= 6.63047e-012  A10=-1.85399e-015  
第4面
K = 0.00000e+000  A 4= 8.21845e-006  A 6=-7.42223e-009  A 8= 3.29086e-012  A10= 3.14294e-015  
第16面
K = 0.00000e+000  A 4=-9.81375e-007  A 6= 7.91618e-008  A 8=-1.56931e-009  A10= 6.31954e-012  
第17面
K = 0.00000e+000  A 4= 2.86447e-005  A 6= 1.09472e-007  A 8=-2.38642e-009  A10= 1.29244e-011  
各種データ
広角     中間     望遠
焦点距離      56.81   135.00   241.30  
Fナンバー      4.16     5.16     5.88  
画角          13.52     5.78     3.24  
像高          13.66    13.66    13.66  
レンズ全長   154.58   191.98   209.58  
BF            38.74    57.93    70.29  
d 4            7.21    44.60    62.21  
d 9           34.07    15.45     2.69  
d15            5.76     5.18     5.59  
d17            1.98     3.56     5.74  
d21           17.87    16.29    14.11  
d23           38.74    57.93    70.29  
ズームレンズ群データ
群  始面    焦点距離
1    1     154.92
2    5     -30.29
3   10      46.16
4   16      40.08
5   18     -35.80
6   22     133.708
以上、本発明の好ましい実施形態について説明したが、本発明はこれらの実施形態に限定されず、その要旨の範囲内で種々の変形及び変更が可能である。
【００７４】
次に各条件式に対しての値を表５に示す。
【００７５】
【表１】
2018194772.tif 000004
以下、表６に各実施例に用いた材料及び光学素子の光学特性を示す。
【００７６】
【表２】
2018194772.tif 000005
各実施例の光学系は、銀塩フィルムカメラ、デジタルスチルカメラ、ビデオカメラ、デジタルビデオカメラ等の光学機器に用いられる撮影光学系である。レンズ断面図において、左方が物体側（前方）で、右方が像側（後方）である。レンズ断面図において、ＳＰは絞り（開口絞り）である。
【００７７】
ＩＰは像面であり、ビデオカメラやデジタルスチルカメラの撮影光学系として使用する際にはＣＣＤセンサやＣＭＯＳセンサなどの固体撮像素子（光電変換素子）の撮像面が、銀塩フィルム用カメラのときはフィルム面に相当する。
【００７８】
それぞれの縦収差図は、左から順に、球面収差、非点収差、歪曲、倍率色収差を表している。球面収差と倍率色収差を示す図において、実線はｄ線（５８７．６ｎｍ）、破線はｇ線（４３５．８ｎｍ）を表している。また、非点収差を示す図において、実線はｄ線のサジタル方向ΔＳ、破線はｄ線のメリディオナル方向ΔＭを表している。また、歪曲を示す図は、ｄ線における歪曲を表している。横収差図において、実線はｄ線のメリディオナル方向ΔＭ、破線はｄ線のサジタル方向ΔＳを表している。ＦｎｏはＦナンバー、ωは半画角、ｈｇｔは像高である。
【符号の説明】
【００７９】
ＳＰ  絞り、ＩＰ  像面、ｄ  ｄ線、ｇ  ｇ線、Ｍ  メリディオナル像面、
Ｓ  サジタル像面
【図１】
2018194772.tif 000006
【図２】
2018194772.tif 000007
【図３】
2018194772.tif 000008
【図４】
2018194772.tif 000009
【図５】
2018194772.tif 000010
【図６】
2018194772.tif 000011
【図７】
2018194772.tif 000012
【図８】
2018194772.tif 000013
【図９】
2018194772.tif 000014
【図１０】
2018194772.tif 000015
【図１１】
2018194772.tif 000016
【図１２】
2018194772.tif 000017
【図１３】
2018194772.tif 000018
【図１４】
2018194772.tif 000019
【図１５】
2018194772.tif 000020
【図１６】
2018194772.tif 000021
【図１７】
2018194772.tif 000022
【図１８】
2018194772.tif 000023